【手続補正書】
【提出日】平成19年3月8日(2007.3.8)
【手続補正１】
【補正対象書類名】特許請求の範囲
【補正対象項目名】全文
【補正方法】変更
【補正の内容】
【特許請求の範囲】
【請求項１】
テキスト形式で記述された制御情報を送受する画像供給装置と、テキスト形式で記述された制御情報を送受し、その制御情報に従って、上記画像供給装置から受信したデータファイルに基づく画像を出力する画像出力装置とを備える画像出力システムにおいて、
上記画像出力装置は、当該画像出力装置の有する機能を示す文字列を上記制御情報における所定の箇所の文字列に連結し、連結後の文字列を含む上記制御情報を上記画像供給装置に送信し、
上記画像供給装置は、上記制御情報を受信し、受信した上記制御情報における所定の箇所の文字列から上記画像出力装置の有する機能を示す文字列を抽出すること、
を特徴とする画像出力システム。
【請求項２】
通信路を介して接続された画像供給装置と通信を行う通信手段と、
当該画像出力装置の有する機能を示す文字列を、上記制御情報における所定の箇所の文字列に連結し、連結後の文字列を含む上記制御情報を上記画像供給装置に送信させる通信制御手段と、
上記通信手段により受信された制御情報およびデータファイルに基づく画像を出力する画像出力手段と、
を備えることを特徴とする画像出力装置。
【請求項３】
前記通信制御手段は、当該画像出力装置の有する機能を示す文字列に、その機能の１または複数のバージョン情報を含めることを特徴とする請求項２記載の画像出力装置。
【請求項４】
前記通信制御手段は、前記通信手段に通信路を介して画像供給装置が接続されたときに、前記連結後の文字列を含む制御情報をその画像供給装置に送信させることを特徴とする請求項２記載の画像出力装置。
【請求項５】
前記通信手段は、マークアップ言語で記述された制御情報を送受信し、
前記通信制御手段は、当該画像出力装置のベンダ名または製品名を指定するために予約されたタグにより前記連結後の文字列を囲んだ要素を含む制御情報を前記画像供給装置に送信させること、
を特徴とする請求項２記載の画像出力装置。
【請求項６】
通信路を介して接続された、画像出力の制御情報およびデータファイルに従って画像を出力する画像出力装置と通信を行う通信手段と、
上記通信手段により受信された上記制御情報における所定の箇所の文字列の一部を、上記画像出力装置の有する機能を示す文字列として抽出する文字列抽出手段と、
上記文字列抽出手段により抽出された文字列の示す機能の使用を指定する制御情報およびデータファイルを上記画像出力装置に送信させる通信制御手段と、
を備えることを特徴とする画像供給装置。
【請求項７】
前記文字列抽出手段は、当該画像出力装置の有する機能を示す文字列から、その機能の１または複数のバージョン情報を抽出することを特徴とする請求項６記載の画像供給装置。
【請求項８】
前記通信手段は、前記通信手段に通信路を介して画像出力装置が接続されたときに、上記画像出力装置の有する機能を示す文字列を含む前記制御情報を受信することを特徴とする請求項６記載の画像供給装置。
【請求項９】
前記通信手段は、マークアップ言語で記述された制御情報を送受信し、
前記文字列抽出手段は、前記画像出力装置のベンダ名または製品名を指定するために予約されたタグにより囲まれた文字列から、前記画像出力装置の有する機能を示す文字列を抽出すること、
を特徴とする請求項６記載の画像供給装置。
【請求項１０】
前記制御情報における所定の箇所の文字列を表示する際に、前記通信手段により受信された前記制御情報における所定の箇所の文字列から前記画像出力装置の有する機能を示す文字列を削除した文字列を表示させる表示制御手段を備えることを特徴とする請求項６記載の画像供給装置。
【請求項１１】
画像出力の制御情報およびデータファイルに基づいて画像を出力する画像出力装置による画像出力方法において、
画像出力装置の有する機能を示す文字列を、上記制御情報における所定の箇所の文字列に連結するステップと、
連結後の文字列を含む上記制御情報を、この画像出力装置へ画像出力の制御情報およびデータファイルを供給する画像供給装置に送信するステップと、
上記画像供給装置から制御情報およびデータファイルを受信するステップと、
受信した制御情報およびデータファイルに基づき画像を出力するステップと、
を備えることを特徴とする画像出力方法。
【請求項１２】
画像出力の制御情報およびデータファイルに基づいて画像を出力する画像出力装置へ制御情報およびデータファイルを供給する画像供給装置による画像出力方法において、
上記画像出力装置から上記制御情報を受信するステップと、
受信した上記制御情報における所定の箇所の文字列の一部を、上記画像出力装置の有する機能を示す文字列として抽出するステップと、
抽出した文字列の示す機能の使用を指定する制御情報およびデータファイルを上記画像出力装置に送信するステップと、
を備えることを特徴とする画像供給方法。
【請求項１３】
画像出力の制御情報およびデータファイルに基づいて画像を出力する画像出力装置に内蔵されるコンピュータを、
通信路を介して接続された画像供給装置と通信を行う通信手段を制御し、当該画像出力装置の有する機能を示す文字列を、上記制御情報における所定の箇所の文字列に連結し、連結後の文字列を含む上記制御情報を上記画像供給装置に送信させる通信制御手段と、
上記通信手段により受信された制御情報およびデータファイルに基づく画像を出力させる画像出力制御手段と、
して機能させるためのコンピュータプログラム。
【請求項１４】
画像出力の制御情報およびデータファイルに基づいて画像を出力する画像出力装置へ制御情報およびデータファイルを供給する画像供給装置に内蔵されるコンピュータを、
通信路を介して接続された画像出力装置と通信を行う通信手段により受信された上記制御情報における所定の箇所の文字列の一部を、上記画像出力装置の有する機能を示す文字列として抽出する文字列抽出手段と、
上記文字列抽出手段により抽出された文字列の示す機能の使用を指定する制御情報およびデータファイルを上記画像出力装置に送信させる通信制御手段と、
して機能させるためのコンピュータプログラム。
【請求項１５】
所定のプロトコルに従って記述された制御情報を送受する画像供給装置と、上記所定のプロトコルに従って記述された制御情報を送受し、その制御情報に従って、上記画像供給装置から受信したデータファイルに基づく画像を出力する画像出力装置とを備える画像出力システムにおいて、
上記画像出力装置は、上記プロトコルに従って上記制御情報を上記画像供給装置に送信する際に、当該画像出力装置の有する機能のうち上記プロトコルで通知できない機能を示す特殊機能情報をその制御情報における所定の箇所に追加し、追加後の上記制御情報を上記画像供給装置に送信し、
上記画像供給装置は、その制御情報を受信し、受信した上記制御情報から上記特殊機能情報を抽出すること、
を特徴とする画像出力システム。
【請求項１６】
所定のプロトコルに従って記述された制御情報を送受し、その制御情報に従って、上記画像供給装置から受信したデータファイルに基づく画像を出力する画像出力装置において、
通信路を介して接続された画像供給装置と通信を行う通信手段と、
上記プロトコルに従って上記制御情報を上記画像供給装置に送信する際に、当該画像出力装置の有する機能のうち上記プロトコルで通知できない機能を示す特殊機能情報をその制御情報における所定の箇所に追加し、追加後の上記制御情報を上記画像供給装置に送信させる通信制御手段と、
上記通信手段により受信された制御情報およびデータファイルに基づく画像を出力する画像出力手段と、
を備えることを特徴とする画像出力装置。
【請求項１７】
前記通信制御手段は、複数のデータファイルを使用して１つの画像を出力する画像出力機能を有する場合、その画像出力機能を示す特殊機能情報を、上記制御情報における所定の箇所に追加し、追加後の上記制御情報を上記画像供給装置に送信させることを特徴とする請求項１６記載の画像出力装置。
【請求項１８】
所定のプロトコルに従って記述された制御情報を送受するとともに画像出力のためのデータファイルを供給する画像供給装置において、
通信路を介して接続された、画像出力の制御情報およびデータファイルに従って画像を出力する画像出力装置と通信を行う通信手段と、
上記通信手段により受信された上記制御情報における所定の箇所の文字列から、上記画像出力装置の有する上記プロトコルで通知できない機能についての特殊機能情報を抽出する文字列抽出手段と、
上記文字列抽出手段により抽出された文字列の示す機能の使用を指定する制御情報およびデータファイルを上記画像出力装置に送信させる通信制御手段と、
を備えることを特徴とする画像供給装置。
【請求項１９】
所定のプロトコルに従って記述された制御情報を送受し、その制御情報に従って、上記画像供給装置から受信したデータファイルに基づく画像を出力する画像出力装置による画像出力方法において、
通信路を介して接続された画像供給装置と通信を行う通信手段により上記プロトコルに従って上記制御情報を上記画像供給装置に送信する際に、当該画像出力装置の有する機能のうち上記プロトコルで通知できない機能を示す特殊機能情報を、上記制御情報における所定の箇所に追加し、追加後の上記制御情報を上記画像供給装置に送信するステップと、
上記通信手段により制御情報およびデータファイルを受信するステップと、
受信した制御情報およびデータファイルに基づき画像を出力するステップと、
を備えることを特徴とする画像出力方法。
【請求項２０】
所定のプロトコルに従って記述された制御情報を送受するとともに画像出力のためのデータファイルを供給する画像供給装置による画像供給方法において、
通信路を介して接続された、画像出力の制御情報およびデータファイルに従って画像を出力する画像出力装置と通信を行う通信手段により受信された上記制御情報における所定の箇所の文字列から、上記画像出力装置の有する上記プロトコルで通知できない機能についての特殊機能情報を抽出するステップと、
抽出した文字列の示す機能の使用を指定する制御情報およびデータファイルを上記画像出力装置に送信するステップと、
を備えることを特徴とする画像供給方法。
【請求項２１】
所定のプロトコルに従って記述された制御情報を送受し、その制御情報に従って、上記画像供給装置から受信したデータファイルに基づく画像を出力する画像出力装置に内蔵されるコンピュータを、
通信路を介して接続された画像供給装置と通信を行う通信手段により、上記プロトコルに従って上記制御情報を上記画像供給装置に送信する際に、当該画像出力装置の有する機能のうち上記プロトコルで通知できない機能を示す特殊機能情報を、上記制御情報における所定の箇所に追加し、追加後の上記制御情報を上記画像供給装置に送信させる通信制御手段と、
上記通信手段により受信された制御情報およびデータファイルに基づく画像を出力する画像出力手段と、
して機能させるためのコンピュータプログラム。
【請求項２２】
所定のプロトコルに従って記述された制御情報を送受するとともに画像出力のためのデータファイルを供給する画像供給装置に内蔵されるコンピュータを、
通信路を介して接続された、画像出力の制御情報およびデータファイルに従って画像を出力する画像出力装置と通信を行う通信手段により受信された上記制御情報における所定の箇所の文字列から、上記画像出力装置の有する上記プロトコルで通知できない機能についての特殊機能情報を抽出する文字列抽出手段と、
上記文字列抽出手段により抽出された文字列の示す機能の使用を指定する制御情報およびデータファイルを上記画像出力装置に送信させる通信制御手段と、
して機能させるためのコンピュータプログラム。
【手続補正２】
【補正対象書類名】明細書
【補正対象項目名】０００８
【補正方法】変更
【補正の内容】
【０００８】
本発明の画像出力システムの１つは、テキスト形式で記述された制御情報を送受する画像供給装置と、テキスト形式で記述された制御情報を送受し、その制御情報に従って、画像供給装置から受信したデータファイルに基づく画像を出力する画像出力装置とを備える。そして、画像出力装置は、当該画像出力装置の有する機能を示す文字列を制御情報における所定の箇所の文字列に連結し、連結後の文字列を含む制御情報を画像供給装置に送信する。また、画像供給装置は、その制御情報を受信し、受信した制御情報における所定の箇所の文字列から画像出力装置の有する機能を示す文字列を抽出する。
【手続補正３】
【補正対象書類名】明細書
【補正対象項目名】００１０
【補正方法】変更
【補正の内容】
【００１０】
本発明の画像出力装置の１つは、通信路を介して接続された画像供給装置と通信を行う通信手段と、当該画像出力装置の有する機能を示す文字列を、制御情報における所定の箇所の文字列に連結し、連結後の文字列を含む制御情報を画像供給装置に送信させる通信制御手段と、通信手段により受信された制御情報およびデータファイルに基づく画像を出力する画像出力手段と、を備える。
【手続補正４】
【補正対象書類名】明細書
【補正対象項目名】００１４
【補正方法】変更
【補正の内容】
【００１４】
さらに、本発明の画像出力装置の１つは、上記発明の画像出力装置のいずれかに加え、通信制御手段を次のようにしたものである。この画像出力装置では、通信制御手段は、通信手段に通信路を介して画像供給装置が接続されたときに、連結後の文字列を含む制御情報をその画像供給装置に送信させる。
【手続補正５】
【補正対象書類名】明細書
【補正対象項目名】００１６
【補正方法】変更
【補正の内容】
【００１６】
さらに、本発明の画像出力装置の１つは、上記発明の画像出力装置のいずれかに加え、通信手段および通信制御手段を次のようにしたものである。この画像出力装置では、通信手段は、マークアップ言語で記述された制御情報を送受信する。また、通信制御手段は、当該画像出力装置のベンダ名または製品名を指定するために予約されたタグにより、連結後の文字列を囲んだ要素を含む制御情報を画像供給装置に送信させる。
【手続補正６】
【補正対象書類名】明細書
【補正対象項目名】００１８
【補正方法】変更
【補正の内容】
【００１８】
本発明の画像供給装置の１つは、通信路を介して接続された、画像出力の制御情報およびデータファイルに従って画像を出力する画像出力装置と通信を行う通信手段と、通信手段により受信された制御情報における所定の箇所の文字列の一部を、画像出力装置の有する機能を示す文字列として抽出する文字列抽出手段と、文字列抽出手段により抽出された文字列の示す機能の使用を指定する制御情報およびデータファイルを画像出力装置に送信させる通信制御手段とを備える。
【手続補正７】
【補正対象書類名】明細書
【補正対象項目名】００２２
【補正方法】変更
【補正の内容】
【００２２】
さらに、本発明の画像供給装置の１つは、上記発明の画像供給装置のいずれかに加え、通信手段を次のようにしたものである。この画像供給装置では、通信手段は、通信手段に通信路を介して画像出力装置が接続されたときに、画像出力装置の有する機能を示す文字列を含む制御情報を受信する。
【手続補正８】
【補正対象書類名】明細書
【補正対象項目名】００２６
【補正方法】変更
【補正の内容】
【００２６】
さらに、本発明の画像供給装置の１つは、上記発明の画像供給装置のいずれかに加え、制御情報における所定の箇所の文字列を表示する際に、通信手段により受信された制御情報における所定の箇所の文字列から画像出力装置の有する機能を示す文字列を削除した文字列を表示させる表示制御手段を備える。
【手続補正９】
【補正対象書類名】明細書
【補正対象項目名】００２７
【補正方法】変更
【補正の内容】
【００２７】
これにより、例えばベンダ名や製品名を修正して特殊機能の存在を通知しても、画像供給装置では、正確にベンダ名や製品名が表示される。
【手続補正１０】
【補正対象書類名】明細書
【補正対象項目名】００２８
【補正方法】変更
【補正の内容】
【００２８】
本発明の画像出力方法の１つは、画像出力装置の有する機能を示す文字列を、制御情報における所定の箇所の文字列に連結するステップと、連結後の文字列をを含む上記制御情報を、この画像出力装置へ画像出力の制御情報およびデータファイルを供給する画像供給装置に送信するステップと、画像供給装置から制御情報およびデータファイルを受信するステップと、受信した制御情報およびデータファイルに基づき画像を出力するステップとを備える。
【手続補正１１】
【補正対象書類名】明細書
【補正対象項目名】００３０
【補正方法】変更
【補正の内容】
【００３０】
本発明の画像供給方法の１つは、画像出力装置から制御情報を受信するステップと、受信した制御情報における所定の箇所の文字列の一部を、画像出力装置の有する機能を示す文字列として抽出するステップと、抽出した文字列の示す機能の使用を指定する制御情報およびデータファイルを画像出力装置に送信するステップとを備える。
【手続補正１２】
【補正対象書類名】明細書
【補正対象項目名】００３２
【補正方法】変更
【補正の内容】
【００３２】
本発明のコンピュータプログラムの１つは、画像出力の制御情報およびデータファイルに基づいて画像を出力する画像出力装置に内蔵されるコンピュータを、通信路を介して接続された画像供給装置と通信を行う通信手段を制御し、当該画像出力装置の有する機能を示す文字列を、制御情報における所定の箇所の文字列に連結し、連結後の文字列を含む制御情報を画像供給装置に送信させる通信制御手段と、通信手段により受信された制御情報およびデータファイルに基づく画像を出力させる画像出力制御手段と、して機能させる。
【手続補正１３】
【補正対象書類名】明細書
【補正対象項目名】００３４
【補正方法】変更
【補正の内容】
【００３４】
本発明のコンピュータプログラムの１つは、画像出力の制御情報およびデータファイルに基づいて画像を出力する画像出力装置へ制御情報およびデータファイルを供給する画像供給装置に内蔵されるコンピュータを、通信路を介して接続された画像出力装置と通信を行う通信手段により受信された制御情報における所定の箇所の文字列の一部を、画像出力装置の有する機能を示す文字列として抽出する文字列抽出手段と、文字列抽出手段により抽出された文字列の示す機能の使用を指定する制御情報およびデータファイルを画像出力装置に送信させる通信制御手段と、して機能させる。
【手続補正１４】
【補正対象書類名】明細書
【補正対象項目名】００３６
【補正方法】変更
【補正の内容】
【００３６】
本発明の画像出力システムの１つは、所定のプロトコルに従って記述された制御情報を送受する画像供給装置と、所定のプロトコルに従って記述された制御情報を送受し、その制御情報に従って、画像供給装置から受信したデータファイルに基づく画像を出力する画像出力装置とを備える。そして、画像出力装置は、プロトコルに従って制御情報を画像供給装置に送信する際に、当該画像出力装置の有する機能のうちプロトコルで通知できない機能を示す特殊機能情報を、その制御情報における所定の箇所に追加し、追加後の制御情報を画像供給装置に送信する。また、画像供給装置は、その制御情報を受信し、受信した制御情報から特殊機能情報を抽出する。
【手続補正１５】
【補正対象書類名】明細書
【補正対象項目名】００３７
【補正方法】変更
【補正の内容】
【００３７】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正１６】
【補正対象書類名】明細書
【補正対象項目名】００３８
【補正方法】変更
【補正の内容】
【００３８】
本発明の画像出力装置の１つは、通信路を介して接続された画像供給装置と通信を行う通信手段と、プロトコルに従って制御情報を画像供給装置に送信する際に、当該画像出力装置の有する機能のうちプロトコルで通知できない機能を示す特殊機能情報を、その制御情報における所定の箇所に追加し、追加後の制御情報を画像供給装置に送信させる通信制御手段と、通信手段により受信された制御情報およびデータファイルに基づく画像を出力する画像出力手段とを備える。
【手続補正１７】
【補正対象書類名】明細書
【補正対象項目名】００３９
【補正方法】変更
【補正の内容】
【００３９】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正１８】
【補正対象書類名】明細書
【補正対象項目名】００４０
【補正方法】変更
【補正の内容】
【００４０】
さらに、本発明の画像出力装置の１つは、上記発明の画像出力装置に加え、通信制御手段を次のようにしたものである。この画像出力装置では、通信制御手段は、複数のデータファイルを使用して１つの画像を出力する画像出力機能を有する場合、その画像出力機能を示す特殊機能情報を、制御情報における所定の箇所に追加し、追加後の制御情報を画像供給装置に送信させる。
【手続補正１９】
【補正対象書類名】明細書
【補正対象項目名】００４１
【補正方法】変更
【補正の内容】
【００４１】
本発明の画像供給装置の１つは、通信路を介して接続された、画像出力の制御情報およびデータファイルに従って画像を出力する画像出力装置と通信を行う通信手段と、通信手段により受信された制御情報における所定の箇所の文字列から、画像出力装置の有するプロトコルで通知できない機能についての特殊機能情報を抽出する文字列抽出手段と、文字列抽出手段により抽出された文字列の示す機能の使用を指定する制御情報およびデータファイルを画像出力装置に送信させる通信制御手段とを備える。
【手続補正２０】
【補正対象書類名】明細書
【補正対象項目名】００４２
【補正方法】変更
【補正の内容】
【００４２】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正２１】
【補正対象書類名】明細書
【補正対象項目名】００４３
【補正方法】変更
【補正の内容】
【００４３】
本発明の画像出力方法の１つは、通信路を介して接続された画像供給装置と通信を行う通信手段によりプロトコルに従って制御情報を画像供給装置に送信する際に、当該画像出力装置の有する機能のうちプロトコルで通知できない機能を示す特殊機能情報を、制御情報における所定の箇所に追加し、追加後の制御情報を画像供給装置に送信するステップと、通信手段により制御情報およびデータファイルを受信するステップと、受信した制御情報およびデータファイルに基づき画像を出力するステップとを備える。
【手続補正２２】
【補正対象書類名】明細書
【補正対象項目名】００４４
【補正方法】変更
【補正の内容】
【００４４】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正２３】
【補正対象書類名】明細書
【補正対象項目名】００４５
【補正方法】変更
【補正の内容】
【００４５】
本発明の画像供給方法の１つは、通信路を介して接続された、画像出力の制御情報およびデータファイルに従って画像を出力する画像出力装置と通信を行う通信手段により受信された制御情報における所定の箇所の文字列から、画像出力装置の有するプロトコルで通知できない機能についての特殊機能情報を抽出するステップと、抽出した文字列の示す機能の使用を指定する制御情報およびデータファイルを画像出力装置に送信するステップとを備える。
【手続補正２４】
【補正対象書類名】明細書
【補正対象項目名】００４６
【補正方法】変更
【補正の内容】
【００４６】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正２５】
【補正対象書類名】明細書
【補正対象項目名】００４７
【補正方法】変更
【補正の内容】
【００４７】
本発明のコンピュータプログラムの１つは、所定のプロトコルに従って記述された制御情報を送受し、その制御情報に従って、画像供給装置から受信したデータファイルに基づく画像を出力する画像出力装置に内蔵されるコンピュータを、通信路を介して接続された画像供給装置と通信を行う通信手段により、プロトコルに従って制御情報を画像供給装置に送信する際に、当該画像出力装置の有する機能のうちプロトコルで通知できない機能を示す特殊機能情報を、制御情報における所定の箇所に追加し、追加後の制御情報を画像供給装置に送信させる通信制御手段と、通信手段により受信された制御情報およびデータファイルに基づく画像を出力する画像出力手段と、して機能させる。
【手続補正２６】
【補正対象書類名】明細書
【補正対象項目名】００４８
【補正方法】変更
【補正の内容】
【００４８】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。
【手続補正２７】
【補正対象書類名】明細書
【補正対象項目名】００４９
【補正方法】変更
【補正の内容】
【００４９】
本発明のコンピュータプログラムの１つは、所定のプロトコルに従って記述された制御情報を送受するとともに画像出力のためのデータファイルを供給する画像供給装置に内蔵されるコンピュータを、通信路を介して接続された、画像出力の制御情報およびデータファイルに従って画像を出力する画像出力装置と通信を行う通信手段により受信された制御情報における所定の箇所の文字列から、画像出力装置の有するプロトコルで通知できない機能についての特殊機能情報を抽出する文字列抽出手段と、文字列抽出手段により抽出された文字列の示す機能の使用を指定する制御情報およびデータファイルを画像出力装置に送信させる通信制御手段と、して機能させる。
【手続補正２８】
【補正対象書類名】明細書
【補正対象項目名】００５０
【補正方法】変更
【補正の内容】
【００５０】
これにより、画像供給装置が画像出力装置の特殊機能の存在を認識するため、画像出力装置の特殊機能を画像供給装置から使用可能となる。また、画像供給装置が、特殊機能を有さない画像出力装置へ特殊機能の使用を要求してしまって画像出力を失敗することを防止することができる。特に、画像供給装置と画像出力装置との通信プロトコルを、このような特殊機能の通知のために変更する必要がない。